(57)【要約】【課題】ファインダー装置の大型化を抑制し、閉鎖空間の大きさに関わらず、焦点面に近いごみを容易に除去できるファインダー装置を提供すること。【解決手段】被写体像が結像されるフォーカシングスクリーン１０５と、前記フォーカシングスクリーン１０５からの光束を反射するペンタダハミラー１１２と、前記ペンタダハミラー１１２からの光束を接眼部に反射する穴の開いたペンタミラー２０８と、前記ペンタミラー２０８の穴をふさぐ変形可能な穴カバー２０９と、前記フォーカシングスクリーン１０５と前記ペンタダハミラー１１２の間に配置される拡散型液晶パネル１８１と、を備えたカメラのファインダー装置において、前記ペンタミラー２０８の穴は光束を反射する領域外に、カメラの外装カバーを外した状態で外部から前記拡散型液晶パネル１８１にアクセス可能な位置に開いることを特徴とする。【選択図】図１
2015232670.tif 000002
【特許請求の範囲】
【請求項１】
被写体像が結像されるフォーカシングスクリーン１０５と、
前記フォーカシングスクリーン１０５からの光束を反射するペンタダハミラー１１２と、
前記ペンタダハミラー１１２からの光束を接眼部に反射する穴の開いたペンタミラー２０８と、
前記ペンタミラー２０８の穴をふさぐ変形可能な穴カバー２０９と、
前記フォーカシングスクリーン１０５と前記ペンタダハミラー１１２の間に配置される拡散型液晶パネル１８１と、
を備えたカメラのファインダー装置において、
前記ペンタミラー２０８の穴は光束を反射する領域外に、カメラの外装カバーを外した状態で外部から前記拡散型液晶パネル１８１にアクセス可能な位置に開いることを特徴とするカメラのファインダー装置。
【請求項２】
前記外装カバーは複数の部品で構成され、そのうち一部品のみを取り外した状態でカメラ外部からアクセス可能な位置に前記ペンタミラー２０８の穴が開いていることを特徴とする請求項１に記載のファインダー装置。
【請求項３】
前記穴カバー２０９は前期ペンタミラー２０８の反射面と同じ面に配置され、穴をふさいでいる状態から穴を開蓋した状態に可動であることを特徴とする請求項１に記載のファインダー装置。
【請求項４】
前記ペンタミラー２０８の穴は前期ペンタミラー２０８の面直方向よりも、前記拡散型液晶パネル１８１の方向にあいており、光束を反射する領域を挟んで２箇所にあいていることを特徴とする請求項１に記載のファインダー装置。
【請求項５】
前記ペンタミラー２０８は樹脂材料により成型され、光束を反射する領域以外にシボ処理が設けられていることを特徴とする請求項１に記載のファインダー装置。
【発明の詳細な説明】
【技術分野】
【０００１】
本発明は、カメラのファインダーに関し、ペンタダハミラーを備えたファインダーに関するものである。
【背景技術】
【０００２】
従来、カメラのファインダー光学系の光学部品や表示部品にごみが付着すると、比較的焦点面に近い光学部品や表示部品上のごみほど目立ちやすい。露出している光学部品や表示部品表面に付着したごみはブロア等で吹き飛ばしたり、溶剤等で拭き取ったりすることで除去できるが、ファインダー装置内部に進入したごみは容易に除去することは困難であった。
【０００３】
そこで、特許文献１では光学部品を保持する保持部材に閉鎖空間の内外を連通させる複数の通路を形成して、１つの通路から閉鎖空間内に高圧空気を流入させごみを吹き飛ばし、残りの通路から排出させる構成が開示されている。特許文献２ではファインダーの表示部品がセット状態から非セット状態へ移行が可能であり、非セット状態に移行できることでファインダー内部の異物を除去する構成が開示されている。
【先行技術文献】
【特許文献】
【０００４】
【特許文献１】特開平１１−１０９４４３号公報
【特許文献２】特開２０１１−３３６７０号公報
【発明の概要】
【発明が解決しようとする課題】
【０００５】
しかしながら、上述の特許文献１に開示された従来技術では、ごみを吹き飛ばすために流入した空気を高圧のまま排出するための空気の流路が必要である。そのため、ごみを除去したい部品上に流路が確保できない場合、流入した空気の圧力が減少し、ごみが排出されない可能性がある。また、上述の特許文献２に開示された従来技術では、表示部をセット状態から非セット状態へ移行するための構成が必要となり、ファインダー装置が大型化してしまう。
【０００６】
そこで、本発明の目的は、ファインダー装置の大型化を抑制し、閉鎖空間の大きさに関わらず、焦点面に近いごみを容易に除去できるファインダー装置を提供することである。
【課題を解決するための手段】
【０００７】
上記目的を達成するために、本発明は、
被写体像が結像されるフォーカシングスクリーン１０５と、
前記フォーカシングスクリーン１０５からの光束を反射するペンタダハミラー１１２と、
前記ペンタダハミラー１１２からの光束を接眼部に反射する穴の開いたペンタミラー２０８と、
前記ペンタミラー２０８の穴をふさぐ変形可能な穴カバー２０９と、
前記フォーカシングスクリーン１０５と前記ペンタダハミラー１１２の間に配置される拡散型液晶パネル１８１と、
を備えたカメラのファインダー装置において、
前記ペンタミラー２０８の穴は光束を反射する領域外に、カメラの外装カバーを外した状態で外部から前記拡散型液晶パネル１８１にアクセス可能な位置に開いる
ことを特徴とする。
【発明の効果】
【０００８】
本発明によれば、焦点面の近くに発生したごみを容易に除去できるファインダー装置を提供することができる。
【図面の簡単な説明】
【０００９】
【図１】ファインダー装置の斜視図である。
【図２】カメラシステムの第１の構成図である。
【図３】カメラシステムの第２の構成図である。
【図４】カメラ機能の構成ブロック図である。
【図５】ペンタミラーの外観図である。
【図６】カメラの外観図である。
【図７】カメラのフロントカバーを外した状態の外観図である。
【図８】ファインダー装置の断面図である。
【図９】ペンタミラーと穴カバーと拡散型液晶パネルの断面図である。
【発明を実施するための形態】
【００１０】
以下に、本発明の好ましい実施の形態を、添付の図面に基づいて詳細に説明する。
【００１１】
図２及び図３は本実施形態におけるカメラシステムの構成を示す概略断面図であり、カメラ本体（撮像装置）１０１と、カメラ本体１０１に着脱可能に装着されるレンズ装置１０２とを有している。図２は光学ファインダー（ＯＶＦ）で被写体を観察する場合のカメラシステムの状態を示している。この図２に示す状態を、以下、「光学ファインダーモード（ＯＶＦモード）」と呼ぶ。
【００１２】
また、図３はカメラ本体１０１の背面に取り付けられたディスプレイユニット１０７（表示手段）に被写体の画像を逐次表示する電子ファインダー（ＥＶＦ）機能を用いて、被写体を観察可能にした場合のカメラシステムの状態を示している。この図３に示す状態を、以下、「電子ファインダーモード（ＥＶＦモード）」と呼ぶ。
【００１３】
レンズ装置１０２内には、フォーカスレンズ（不図示）を含む撮影光学系１０３（撮影レンズ）および露光量を調節するための絞り１０４が設けられている。レンズ装置１０２は、公知のマウント機構を介してカメラ本体１０１に電気的、機械的に接続される。焦点距離の異なるレンズ装置１０２をカメラ本体１０１に装着することによって、様々な画角の撮影画面を得ることが可能である。また、レンズ装置１０２では、不図示の駆動機構を介して撮影光学系１０３の一部の要素であるフォーカスレンズを光軸Ｌ１方向に移動させることで、撮影光学系１０３の焦点調節を行う。
【００１４】
カメラ本体１０１は、ＣＣＤセンサあるいはＣＭＯＳセンサなどの撮像素子１０６を用いた単板式のデジタルカラーカメラであり、撮像素子１０６を連続的または単発的に駆動して、動画像または静止画像を表わす画像信号を得る。なお、撮像素子は、露光した光を画素毎に電気信号に変換して受光量に応じた電荷を蓄積し、蓄積された電荷を読み出すタイプのエリアセンサである。撮像素子１０６はパッケージ１１０に収納されている。
【００１５】
また、撮影光学系１０３から撮像素子１０６に至る光路中には、撮像素子１０６上に被写体像（光学像）の必要以上に高い空間周波数成分が伝達されないように撮影光学系１０３のカットオフ周波数を制限する光学ローパスフィルタ１５６が設けられている。
【００１６】
撮像素子１０６から読み出された信号は、後述するように所定の処理が施された後、画像データとしてディスプレイユニット１０７上に表示される。ディスプレイユニット１０７はカメラ本体１０１の背面に取り付けられており、使用者はディスプレイユニット１０７での表示を直接観察できるようになっている。
【００１７】
撮像素子１０６は、上述した特長を利用し、ディスプレイの低精細の画像出力動作（撮像素子１０６の受光領域のうち、一部を間引いた領域からの読み出し）及びディスプレイの高精細の画像出力動作（全受光領域からの読み出し）の両方の動作を行うことができる。また、撮像素子１０６の出力を用いたコントラスト検出方式による焦点調節も行うことができる。
【００１８】
１１１は可動型のハーフミラーであり、撮影光学系１０３を介して入射する被写体光学像の光束のうち一部を反射させるとともに、残りを透過させ、一つの光路を二つの光路に分割する。１０５は撮影光学系１０３によって形成される被写体像の予定結像面に配置されたフォーカシングスクリーン、１１２は内側にミラーが蒸着されたペンタダハミラーである。１０９はフォーカシングスクリーン１０５上に形成された被写体像を観察するためのファインダーレンズであり、一般的には、複数枚のレンズで構成されている。１８０はフォーカシングスクリーン１０５外に特定の情報を表示させるための光学ファインダー内の情報表示ユニットである。１８１はフォーカシングスクリーン１０５内に特定の情報を表示させるための拡散型液晶パネルである。
【００１９】
ハーフミラー１１１の背後（像面側）には可動型のサブミラー１２２が設けられ、ハーフミラー１１１を透過した光束のうち、光軸Ｌ１に近い光束を反射させて焦点検出ユニット（焦点検出手段）１２１に導いている。また、サブミラー１２２は、不図示の駆動機構によりハーフミラー１１１と連動して、撮影光路に対して進退可能となっている。即ち、可動ミラーであるハーフミラー１１１及びサブミラー１２２は、ＯＶＦモード時には図２に示す位置（第１の位置）、ＥＶＦモード時には図３に示す位置（第２の位置）の２通りのいずれかを選択的にとることができる。
【００２０】
焦点検出ユニット１２１は、サブミラー１２２からの被写体光学像を受光して位相差検出方式による焦点検出を行う。
【００２１】
１１３は像面に入射する光量を調節するフォーカルプレンシャッタで、複数の遮光羽根で構成された先幕と後幕を有する。カメラ本体１０１にはカメラ本体を起動させるための不図示のメインスイッチがある。
【００２２】
不図示のレリーズボタンは、２段階で押圧操作され、半押し操作（スイッチＳＷ１のＯＮ）で撮影準備動作（測光動作や焦点調節動作等）が開始される。更に、全押し操作（スイッチＳＷ２のＯＮ）で撮影動作（フォーカルプレンシャッタ１１３の走行と、撮像素子１０６の露光及び電荷信号の読み出し、及び電荷信号を処理して得られた画像データの記録媒体への記録）が開始される。
【００２３】
不図示のファインダーモード切り換えスイッチがあり、スイッチを押す度に被写体像の観察モードとして、ＯＶＦモードとＥＶＦモード間の切り換えを行うことができる。またメニュー画面からＯＶＦモードとＥＶＦモード間の切り換えを行うことも可能である。
【００２４】
図４は、図２及び図３に示すデジタルカラーカメラの概略機能構成を示すブロック図である。なお、図２及び図３と同じ構成には同じ参照番号を付し、説明を省略する。
【００２５】
まず、被写体像の撮像、記録に関する部分から説明する。本実施の形態のカメラシステムは、撮像系、画像処理系、記録再生系及び制御系を有する。撮像系は、撮影光学系１０３および撮像素子１０６を有し、画像処理系は、Ａ／Ｄ変換器１３０、ＲＧＢ画像処理回路１３１およびＹＣ処理回路１３２を有する。また、記録再生系は、記録処理回路１３３および再生処理回路１３４を有し、制御系は、カメラシステム制御回路１３５、操作検出回路１３６、撮像素子駆動回路１３７、ＡＦ制御回路１４０、レンズシステム制御回路１４１を有する。
【００２６】
１３８は、外部のコンピュータや記憶媒体等に接続され、データの送受信を行うために規格化された接続端子である。上述した電気回路は、不図示の小型電池からの電力供給を受けて駆動する。
【００２７】
撮像系は、被写体からの光を撮影光学系１０３を介して撮像素子１０６の撮像面に結像させる光学処理系である。レンズ装置１０２内に設けられた絞り１０４の駆動を制御するとともに、必要に応じてフォーカルプレンシャッタ１１３の駆動を制御することによって、適切な光量の被写体光を撮像素子１０６に受光させることができる。
【００２８】
撮像素子１０６から読み出された信号は、Ａ／Ｄ変換器１３０を含む画像処理系に供給される。この画像処理系での画像処理によって画像データが生成される。Ａ／Ｄ変換器１３０は、撮像素子１０６の各画素から読み出された信号の振幅に応じて、例えば撮像素子１０６の出力信号を、例えば１０ビットのデジタル信号に変換して出力する信号変換回路であり、以降の画像処理はデジタル処理にて実行される。画像処理系は、Ｒ、Ｇ、Ｂのデジタル信号から所望の形式の画像信号を得る信号処理回路であり、Ｒ、Ｇ、Ｂの色信号を輝度信号Ｙおよび色差信号（Ｒ−Ｙ）、（Ｂ−Ｙ）にて表わされるＹＣ信号などに変換する。
【００２９】
ＲＧＢ画像処理回路１３１は、Ａ／Ｄ変換器１３０の出力信号を処理する信号処理回路であり、ホワイトバランス回路、ガンマ補正回路、補間演算による高解像度化を行う補間演算回路を有する。
【００３０】
ＹＣ処理回路１３２は、輝度信号Ｙおよび色差信号Ｒ−Ｙ、Ｂ−Ｙを生成する信号処理回路である。このＹＣ処理回路１３２は、高域輝度信号ＹＨを生成する高域輝度信号発生回路、低域輝度信号ＹＬを生成する低域輝度信号発生回路、及び、色差信号Ｒ−Ｙ、ＢＹを生成する色差信号発生回路を有している。輝度信号Ｙは、高域輝度信号ＹＨと低域輝度信号ＹＬを合成することによって形成される。なお、ＹＣ処理回路１３２から出力される輝度信号Ｙ及び色差信号Ｒ−Ｙ、Ｂ−Ｙ（クロマ信号）を合わせて、以降「ＹＣ信号」と呼ぶ。
【００３１】
記録再生系は、不図示のメモリや外部コンピュータや外部記憶媒体への画像信号の出力と、ディスプレイユニット１０７への画像信号の出力とを行う処理系である。記録処理回路１３３はメモリや外部コンピュータや外部記憶媒体への画像信号の書き込み処理及び読み出し処理を行い、再生処理回路１３４はメモリや外部コンピュータや外部記録媒体から読み出した画像信号を再生して、ディスプレイユニット１０７に出力する。なお、メモリから読み出す画像信号は、撮影された画像だけではなく、使用者がカメラの各種設定をするために予め用意された表示画面用の画像であってもよい。
【００３２】
また、記録処理回路１３３は、ＹＣ処理回路１３２から出力される、静止画データおよび動画データを表わすＹＣ信号を所定の圧縮形式にて圧縮するとともに、圧縮されたデータを伸張する圧縮伸張回路を内部に有する。圧縮伸張回路は、信号処理のためのフレームメモリなどを有しており、このフレームメモリにＹＣ処理回路１３２からのＹＣ信号をフレーム毎に蓄積し、各フレームのＹＣ信号を複数のブロック毎に読み出して圧縮符号化する。
【００３３】
再生処理回路１３４は、ＹＣ信号をマトリクス変換して、例えばＲＧＢ信号等のディスプレイユニット１０７に適した信号に変換する回路である。再生処理回路１３４によって変換された信号はディスプレイユニット１０７に出力され、可視画像として表示（再生）される。
【００３４】
一方、制御系における操作検出回路１３６は、不図示のメインスイッチ、レリーズボタン、ファインダーモード切り換えスイッチ、その他各種スイッチの操作を検出する。そして、この検出結果をカメラシステム制御回路１３５に出力する。カメラシステム制御回路１３５は操作検出回路１３６からの検出信号を受け、検出結果に応じて撮像系、画像処理系、記録再生系をそれぞれ制御する。例えば、レリーズボタンの操作によってスイッチＳＷ２がＯＮとなった場合、ハーフミラー１１１やサブミラー１２２の駆動、フォーカルプレンシャッタ１１３の駆動の制御を行う。
【００３５】
更に、焦点検出ユニット１２１で得られた焦点検出領域での検出信号を処理するＡＦ制御回路１４０の動作のほか、撮像素子１０６の駆動、ＲＧＢ画像処理回路１３１の動作、記録処理回路１３３の圧縮処理などを制御する。
【００３６】
カメラシステム制御回路１３５は、撮像動作を行う際のタイミング信号を生成して、撮像素子駆動回路１３７に出力する。撮像素子駆動回路１３７は、カメラシステム制御回路１３５からの制御信号を受けることで撮像素子１０６を駆動するための駆動信号を生成する。情報表示回路１３９は、カメラシステム制御回路１３５からの制御信号を受けて光学ファインダー内の情報表示ユニット１８０および拡散型液晶パネル１８１の駆動を制御する。
【００３７】
次に、レンズ装置１０２内の構成について説明する。レンズシステム制御回路１４１は、レンズ駆動回路１４２を介して、撮影光学系１０３に含まれるフォーカスレンズを合焦位置に移動するための制御を行う。また、レンズシステム制御回路１４１は、絞り駆動回路１４３を介して、撮影動作時の被写体輝度に応じて絞り１０４の駆動制御を行う。レンズシステム制御回路１４１は、レンズ装置１０２側の通信接点１０２ａおよびカメラ本体１０１側の通信接点１０１ａを介して、カメラ本体１０１内のカメラシステム制御回路１３５と相互に通信可能となっている。レンズシステム制御回路１４１は、レンズ装置１０２の種類や焦点距離等をカメラシステム制御回路１３５に通知する。
【００３８】
カメラ本体１０１がＯＶＦモード（図２に示す状態）の場合、レンズ装置１０２の絞り１０４は開放状態に制御される。また、ハーフミラー１１１及びサブミラー１２２は、撮影光路上の第１の位置にあり、フォーカルプレンシャッタ１１３の先幕及び後幕は不図示の電磁モータとギア列からなるシャッタチャージ機構により、チャージされる。チャージすることで先幕は閉じた状態、後幕は開いた状態となる。
【００３９】
したがって、撮像素子１０６は露光されない。撮影光学系１０３から入射した被写体光学像の光束は、ハーフミラー１１１で反射してファインダー光学系に導かれるとともに、ハーフミラー１１１を透過した光束はサブミラー１２２で反射して焦点検出ユニット１２１に導かれる。従って、ファインダーレンズ１０９を介して被写体光学像を観察可能であるとともに、焦点検出ユニット１２１において焦点検出を行わせることができる（ＯＶＦモードでの撮影スタンバイ）。通常、メインスイッチがオフされたとき、及びメインスイッチがオンした直後は、このＯＶＦモードとなる。
【００４０】
図３に示すＥＶＦモードでは、ハーフミラー１１１及びサブミラー１２２は、撮影光路から退避した第２の位置にあり、撮影光学系１０３からの光束がダイレクトに撮像素子１０６に導かれる。この状態で、撮像素子１０６で連続的に被写体像の撮像動作を行い、得られた電荷を撮像素子１０６からディスプレイ用に間引いた読み出しを行って、ディスプレイユニット１０７に逐次表示することで、リアルタイム表示する。これにより、撮影者はディスプレイユニット１０７に表示された被写体像を確認しながら、構図を決めることができる。
【００４１】
このＥＶＦモードでは、焦点検出ユニット１２１を使用せず、撮像素子１０６の出力を用いたコントラスト検出方式による焦点検出を行わせることができる（ＥＶＦモードでの撮影スタンバイ）。図１は上記ファインダー装置の斜視図である。
【００４２】
これらの図において、２００はファンダー光学系を構成するファインダーレンズ１０９を保持する第１の保持部材、２０１はフォーカシングスクリーン１０５を保持する第２の保持部材である。第２の保持部材２０１は不図示のビスで第１の固定部材２００に固定される。２０２はフォーカシングスクリーン１０５の位置を調節するピントワッシャ、２０３はフォーカシングスクリーンを第２の保持部材２０１に保持するＦＳバネである。
【００４３】
２０４は視野枠であり撮影レンズ１０２を透過した被写体像がハーフミラー１１１の反射を介してファインダー光学系に入射する際の、ファインダー光束の視野サイズを制限している。
【００４４】
２０５は拡散型液晶パネル１８１を第２の保持部材２０１に固定するパネル固定テープ、２０６は不図示のＬＥＤの光を導光し、拡散型液晶パネル１８１を照射するためのライトガイドである。２０７は情報表示ユニット１８０から射出された光束をペンタダハミラーの方向に反射させるためのプリズムである。
【００４５】
２０８はペンタミラーで、ペンタダハミラー１１２とともに像反転を行い、視野枠２０４を透過した被写体像を撮影者の眼球方向に折り曲げ正立像にしている。図５はペンタミラー２０８の外観図である。ペンタミラー２０８にはファインダー光束を反射する有効部２０８ｂの外側に複数の穴２０８ａがあいている。
【００４６】
２０９はペンタミラー２０８にあいた穴２０８ａをふさぐための穴カバーである。２１０はペンタダハミラー１１２を第１の保持部材２００に固定保持するためのペンタバネで、ペンタダハミラー１１２の突起をペンタバネ２１０と不図示のビスで押える事で固定している。
【００４７】
１０９−１はファインダーレンズの第１のレンズであり、第１の保持部材２００に対して上方から組み込まれて接着固定されている。１０９−２はファインダーレンズの第２のレンズであり、第３の保持部材２１３に接着保持されている。第３の保持部材２１３は、軸２１１と嵌合するための穴と第２のレンズ１０９−２を撮影者側に付勢するバネ２１２を案内する軸を一体的に形成している。軸２１１が第１の保持部材２００に設けられた嵌合穴と第３の保持部材２１３の嵌合穴に嵌合することで、第３の保持部材２１３はファインダー光軸Ｌａ方向にスライドする構成となっている。
【００４８】
カム２１４とギア２１５を介して、第３の保持部材２１３に保持された第２のレンズ１０９−２がファインダー光軸Ｌａ方向に移動することにより任意の位置へ視度（ファインダー視度）が調整できる。２１６はカム２１４とギア２１５を保持する第４の保持部材であり、不図示のビスで第１の固定部材２００に固定される。
【００４９】
１０９−３はファインダーレンズの第３のレンズで第１の保持部材２００に撮影者の眼球方向から組み込まれて接着固定される。２１７は視野マスクであり、不要光をカットしてファインダーゴーストの発生を抑制する。１０９−４はファインダーレンズの第４のレンズであり、第１の保持部材２００に撮影者の眼球方向から組み込まれて接着固定される。２１８は接眼枠であり、第１の保持部材２００に不図示のビスで固定される。
【００５０】
アイカップ２１９は接眼枠２１８に設けられた不図示のレール溝に挿入することで装着でき、撮影者の使用感を向上させる部材である。
【００５１】
尚、第２レンズ１０９−２のファインダー光軸Ｌａ方向の移動機構は、上記方法に限らずどのような方法であっても良い。又、ファインダー光学系としては１０９−１、１０９−２、１０９−３、１０９−４の他にレンズを含む構成であっても良いし、レンズの数が４枚より少ない構成でも良い。
【００５２】
図６はカメラの外観図であり、図７はカメラのフロントカバーを外した状態の外観図である。３０１はトップカバー、３０２はフロントカバー、３０３はバックカバーであり、これらはカメラの外装部材を構成している。ここで、図７に示すようにペンタミラーにあいた穴２０８ａはフロントカバー３０２のみを取り外した状態でカメラ外部に露出する位置にあいている。
【００５３】
図８はファインダー装置の断面図である。ペンタミラー２０８はペンタダハミラー１１２に接着固定される。ペンタダハミラー１１２およびペンタミラー２０８は拡散型液晶パネル１８１を挟んでフォーカシングスクリーン１０５の反対側に配置される。第１の保持部材２００および第２の保持部材２０１には被写体像の光束をフォーカシングスクリーン１０５からペンタダハミラー１１２に導くための開口があいている。ゆえに、拡散型液晶パネル１８１のペンタダハミラー１１２側にはペンタダハミラー１１２およびペンタミラー２０８により形成される空間Ａが存在する。
【００５４】
拡散型液晶パネル１８１は表示した情報の焦点が被写体像の焦点と近くなるように、被写体像の予定結像面に配置されるフォーカシングスクリーン１０５の直上に配置される。そのため、カメラの組立て時や、カメラ外部から侵入したごみがフォーカシングスクリーン１０５や拡散型液晶パネル１８１上のファインダー視野枠内に付着すると、ごみが目立ってしまう。
【００５５】
フォーカシングスクリーン１０５上のごみはＦＳバネ２０３およびファーカシングスクリーン１０５を取り外し、ブロア等で吹き飛ばすことにより簡単にごみを除去することができる。
【００５６】
しかし、拡散型液晶パネル１８１はパネル固定テープ２０５で第２の保持部材２０１に固定されているため、取り外してごみを除去することが容易ではない。
【００５７】
本実施形態では、図６の状態からフロントカバー３０２を取り外し、図７に示すようにペンタミラー２０８を露出させる。次に、ペンタミラーにあいた穴２０８ａから不図示のノズルを拡散型液晶パネル１８１に向けて空間Ａ内に挿し込む。
【００５８】
穴カバー２０９は変形可能なシート素材であり、ペンタミラーの反射面側にシートの上部のみが両面テープにより固定されている。そのため、ノズルが挿し込まれると穴カバー２０９が変形し、ペンタミラーの穴２０８ａが開蓋した状態となる。
【００５９】
そして、ノズルから空気を吸い込むことでごみを吸引する。ノズルを直接拡散型液晶パネル１８１上のごみ近傍に差し込み空気を吸引できるため、拡散型液晶パネル１８１上に空気の流路を形成する必要はない。
【００６０】
ごみの除去が終わり、ノズルをペンタミラーの穴２０８ａから抜くと、穴カバー２０９の弾性力により穴カバー２０９がもとの位置に戻り、ペンタミラーの穴２０８ａを自動的に塞ぎ、ごみが侵入するのを抑制する。
【００６１】
ここで、図９に示すようにペンタミラーの穴２０８ａはペンタミラー２０８の面直方向よりも拡散型液晶パネル１８１の方向にあいている。これによりノズルを拡散型液晶パネル１８１の方向に差し込みやすくなる。
【００６２】
また、穴２０８ａは有効面２０８ｂを挟んで２箇所にあいている。これにより拡散型液晶パネル１８１上のごみの位置に合わせて２箇所の穴からよりごみに近い穴を選択し、ノズルを挿し込むことができるため、ノズルを容易に拡散型液晶パネル１８１上のごみの近傍に差し込むことができる。また、２箇所の穴のうち１つの穴からノズルを挿し込み空気を吸引する際、他方の穴は外気の導入穴の役割を果たす。
【００６３】
このように本実施形態によれば、フロントカバー３０２を取り外してペンタミラーの穴２０８ａからノズルを挿し込むことでごみを吸引することができ、ごみの除去が終わればフロントカバー３０２を取り付けるだけで作業が完了する。
【００６４】
また本実施形態によれば、ごみ除去のために追加される部品は穴カバー２０９のみであり、ファインダー装置を大型化することがない。
【００６５】
なお、ペンタミラー２０８は樹脂材料により成形され、有効面２０８ｂ以外にはシボ処理が施されている。シボ処理の光沢度を穴カバー２０９のシート素材の光沢度と近くすることにより、観察者がファインダー像を観察した際に、視野外ではあるが、穴カバー２０９が目立つことを抑制することが可能である。
【００６６】
以上、本発明の好ましい実施形態について説明したが、本発明はこれらの実施形態に限定されず、その要旨の範囲内で種々の変形及び変更が可能である。
【符号の説明】
【００６７】
１０１  カメラ本体、１０５  フォーカシングスクリーン、１１２  ペンタダハミラー、
１８１  拡散型液晶パネル、２００  第１の保持部材、２０１  第２の保持部材、
２０８  ペンタミラー、２０８ａ  穴、２０８ｂ  有効面、２０９  穴カバー、
３０１  トップカバー、３０２  フロントカバー、３０３  バックカバー
【図１】
2015232670.tif 000003
【図２】
2015232670.tif 000004
【図３】
2015232670.tif 000005
【図４】
2015232670.tif 000006
【図５】
2015232670.tif 000007
【図６】
2015232670.tif 000008
【図７】
2015232670.tif 000009
【図８】
2015232670.tif 000010
【図９】
2015232670.tif 000011